(57)【要約】      （修正有）【課題】経腸栄養法などの医療用に用いられるコネクタでも経胃瘻内視鏡を挿入させることができる医療用コネクタを提供する。【解決手段】コネクタ１０は、一方が内視鏡挿入用アダプタ２に接続され、他方が胃瘻カテーテルチューブのコネクタに接続されるものであって、軸方向の両端が開口した内腔１０ａを有する本体１０ｂを有し、本体の内腔の内径が３．０６ｍｍ〜５．０ｍｍで、本体の外径が８．６５ｍｍとなっている。【選択図】図３
0003221614.tif 000002
【実用新案登録請求の範囲】
【請求項１】
胃瘻カテーテルチューブのコネクタに接続されるコネクタであって、軸方向の両端が開口した内腔を有する本体を有し、該本体の内腔の内径が３．０６ｍｍ〜５．０ｍｍで、本体の外径が８．６５ｍｍであることを特徴とする医療用コネクタ。
【請求項２】
本体の内腔の内面は、絞りが一切ない平滑で同径の面に形成されている請求項１に記載の医療用コネクタ。
【考案の詳細な説明】
【技術分野】
【０００１】
この考案は、医療用コネクタに関し、詳しくは、該コネクタに内視鏡を通すことを可能とした技術に係るものである。
【背景技術】
【０００２】
近年、医療用コネクタのベットサイドにおける誤接続による医療事故が多数発生し（例えば輸液点滴ラインに経腸栄養剤を誤接続して投与してしまう等）ており、その対応策として誤接続防止コネクタの国際規格化（ＩＳＯ標準規格８０３６９−３）が進められている。
【０００３】
先行技術文献としては、特表２０１８−５３５７９２号公報（特許文献１）がある。これに開示されているコネクタは、経腸栄養剤投与チューブに誤接続防止のために用いられるもので、両端のオスメスコネクタとも国際規格（ＩＳＯ−８０３６９−３）に準拠している。そのため、コネクタの内腔は現在、国内で使用されているコネクタより内腔が狭く設計され、内径が２．９ｍｍと規定されてそれより大きくなることはない（請求項５，１３等）。
【０００４】
しかしながら、特許文献１の国際規格に準拠したコネクタは、胃瘻カテーテルチューブ留置（交換）の際には、チューブが胃内に正しく挿入されているかを確認するために使用される経胃瘻内視鏡（最大部が３．０５ｍｍ）を、チューブ内に挿入し、留置状態を視認させることがあるが、コネクタの内腔が狭すぎるため、経胃瘻内視鏡を挿入させることができないという問題がある。
【０００５】
また、誤接続を防止するコネクタとして特開２０１８−２０１６００号公報（特許文献２）もあり、特許文献２のコネクタは、メス部材の損傷を防止し、より大きなオス部材を有するオスコネクタを誤って接続してしまうのを防止することを技術的課題とする。しかし、課題解決するために採った手段は、中空の略円筒形状のメス部材を備えたメスコネクタであって、前記メス部材の内周面は、第１領域と、前記第１領域に対して先端側に配された第２領域とを含み、前記第１領域は、その内径が前記メス部材の先端に近づくにしたがって大きくなるメステーパ面であり、前記第２領域は、その内径が中心軸方向において一定である円筒面であることを特徴とするものであり、経胃瘻内視鏡の挿通に関する技術は開示されていない。
【先行技術文献】
【特許文献】
【０００６】
【特許文献１】特表２０１８−５３５７９２号公報
【特許文献２】特開２０１８−２０１６００号公報
【考案の概要】
【考案が解決しようとする課題】
【０００７】
そこでこの考案は、前記従来の問題を解決し、経腸栄養法などの医療用に用いられるコネクタでも経胃瘻内視鏡を挿入させることができるようにすることを技術的課題とする。
【課題を解決するための手段】
【０００８】
前記課題を解決するために、請求項１に記載の考案は、胃瘻カテーテルチューブのコネクタに接続されるコネクタであって、軸方向の両端が開口した内腔を有する本体を有し、該本体の内腔の内径が３．０６ｍｍ〜５．０ｍｍで、本体の外径が８．６５ｍｍであることを特徴とする。
【０００９】
請求項２に記載の考案は、請求項１に記載の医療用コネクタにおいて、本体の内腔の内面は、絞りが一切ない平滑で同径の面に形成されていることを特徴とする。
【考案の効果】
【００１０】
この考案は、前記のようであって、請求項１に記載の考案によれば、胃瘻カテーテルチューブのコネクタに接続されるコネクタであって、軸方向の両端が開口した内腔を有する本体を有し、該本体の内腔の内径が３．０６ｍｍ〜５．０ｍｍで、本体の外径が８．６５ｍｍであるように構成しているため、国際規格に準拠しない内径の内腔を利用して従来のコネクタではできなかった経胃瘻内視鏡の挿入も可能とすることができる。また、栄養ラインなどに接続して使用する際でも誤接続するという事態も解消することができ、利便性が高くなる。請求項２に記載の考案によれば、内腔の内面が平滑であるため、経胃瘻内視鏡の挿入をより円滑かつ迅速に行うことが可能になる。
【図面の簡単な説明】
【００１１】
【図１】内視鏡挿入用補助具の全体を示す概略正面図である。
【図２】同上の組立前の状態を示す部分図である。
【図３】図２のアダプタ部の拡大断面図である。
【図４】コネクタを示し、（Ａ）は正面図、（Ｂ）は平面図、（Ｃ）は底面図、（Ｄ）は側面図である。
【図５】コネクタを示し、（Ａ）はこの発明のコネクタの拡大断面図、（Ｂ）は国際規格のコネクタの拡大断面図である。
【考案を実施するための形態】
【００１２】
以下、図面を参照しながら、この考案の一実施の形態について説明する。
【００１３】
図１において、１は内視鏡挿入用補助具であり、この補助具１は、内視鏡挿入用アダプタ２を有する送気チューブ３を具えている。送気チューブ３は胃内を空気で膨らませて内視鏡の視野を良くするためのものである。また、５は送気チューブ３のアダプタ２と接続される胃瘻カテーテルチューブであり、その先端開口部近くにバルーン６が取り付けられているとともに、該バルーンよりも後端側に腹壁に当接するストッパ７が設けられている。
【００１４】
図２，３に示すように、胃瘻カテーテルチューブ５の後端開口部にはオスコネクタ８が装着されている。一方、このオスコネクタ８と接続するメスコネクタ１０がアダプタ２の正面視下端開口部に装着されている。
【００１５】
メスコネクタ１０は、図４に全体図を示すように軸方向の両端が開口した内腔１０ａを有する本体１０ｂを有している。本体１０ｂの外周面における長さ方向の中間位置に環状のフランジ部１０ｃが設けられ、該フランジ部より上方の外周面には徐々に上端に向けて小径となる複数の環状段差部をもった突条部１０ｄが形成され、フランジ部１０ｃより下方の外周面の下端部にルアーロック１０ｅが形成されている。突条部１０ｄはアダプタ２との接続に際しその接続を密にするためのものである。また、ルアーロック１０ｅはオスコネクタ８に設けたルアーロック（図示せず）とロック可能になっている。
【００１６】
図５（Ａ）に示すように、コネクタ１０の内腔１０ａは経胃瘻内視鏡が挿通できるようにその内径ｒが３．０６ｍｍ〜５．０ｍｍに設定されている。一方、ルアーロック１０ｅとフランジ部１０ｃ以外の本体１０ｂの外径Ｒは栄養ラインなどと接続して使用できなければならないので、８．６５ｍｍに設定されている。すなわち、外径Ｒは栄養ラインなどと接続可能とするために国際規格に準拠したサイズとしつつも、内径ｒは経胃瘻内視鏡を挿通するために国際規格に準拠せずに独自のサイズにしている。これと対比した図５（Ｂ）に示す国際規格のコネクタ１０´は、本体の内腔の内面に絞りが設けられているため、その内径ｒ´が２．９ｍｍとなっている。そのため、最大部が３．０５ｍｍ外径の経胃瘻内視鏡を挿通することができない設計となっている。
【００１７】
図５（Ａ）からも明らかなように、コネクタ１０の本体１０ｂの内腔１０ａの内面は、従来技術ではあるような絞りが一切ない平滑で同径の面に形成されている。したがって、ここを挿通される経胃瘻内視鏡は何ら緩衝することなく円滑な通過が可能である。そのため、挿通を円滑で迅速に行える。
【００１８】
内視鏡挿入用補助具１の組み付けについて説明する。内視鏡挿入用補助具１と胃瘻カテーテルチューブ５を接続するには、まず、胃瘻カテーテルチューブ５上端にオスコネクタ８を挿入して装着する。しかる後に内視鏡挿入用補助具１のアダプタ２に装着されているメスコネクタ１０に向けてオスコネクタ８に挿入してやり（この状態を示すのが図２である。）、ルアーロック１０ｅ等によりロックする。この挿入とロックが完了すると、組み付けられた状態になる。
【００１９】
使用に際しては、図１に示すように、胃瘻カテーテルチューブ５をバルーン６のある先端側から腹壁と胃壁を経て胃瘻にバルーン６を含む先端部を挿入してやる。挿入後、バルーン６を膨らませるとともに、ストッパ７を腹壁に当接してバルーン６との間で両壁を挟むようにして固定する。固定したことを確認したうえ、補助具１を装着させてアダプタ２から経胃瘻内視鏡を胃内まで挿入してやる。この時、送気チューブ３に接続したシリンジなどで胃内に空気を送り込み、胃を膨張させることで内視鏡での視野を明瞭にさせることが可能である。この経胃瘻内視鏡の挿入に際し、内視鏡が通過するメスコネクタ１０の内腔１０ａの内径ｒが３．０６ｍｍ〜５．０ｍｍに設定されているため、通過に何ら支障となることなく、ここを通過することができる。したがって、従前のコネクタのように通過することができないという事態が解消される。
【００２０】
しかも、メスコネクタ１０のルアーロック１０ｅとフランジ部１０ｃ以外の本体１０ｂの外径は国際規格になっているため、本メスコネクタ１０を経腸栄養剤投与チューブのコネクタとしても利用可能であり、胃瘻カテーテルチューブ５の接続に支障となることもなく、該チューブに有効に接続することができる。
【００２１】
前記のように経胃瘻内視鏡を胃瘻まで挿入して胃瘻カテーテルチューブ５が胃内に正しく挿入されているかを確認した後、経胃瘻内視鏡を引き抜き、アダプタ２の代わりに、図示しない経腸栄養剤投与チューブに接続しなおし、栄養剤投与を行うことになる。
【００２２】
以上説明したように、この実施の形態のメスコネクタ１０を用いれば、従来の国際規格のコネクタではできない経胃瘻内視鏡の胃瘻への挿入を可能とすることができ、現状の医療現場で役立てることができる。したがって、この技術分野において極めて利用価値の高い製品を提供することができるという優れた効果が期待することができる。
【００２３】
なお、メスコネクタ１０は、前記したように内視鏡挿入のときには内視鏡挿入用補助具１の送気チューブ３に設けたアダプタ２の下端開口部に装着されて用いられるほか、栄養剤の投与を行うときには図示しない経腸栄養剤投与チューブの先端開口部に装着されて用いられ、装着部位を異ならせる使い方があるが、いずれの場合も胃瘻カテーテルチューブ５のオスコネクタ８に接続される。
【００２４】
この実施の形態で示したメスコネクタ１０はあくまでも好ましい一例を示すものであり、その具体的な形状や構造等は実用新案登録請求の範囲内で適宜設計変更が可能であることは云うまでもない。
【符号の説明】
【００２５】
１  内視鏡挿入用補助具
２  内視鏡挿入用アダプタ
３  送気チューブ
５  胃瘻カテーテルチューブ
６  バルーン
７  ストッパ
８  オスコネクタ
１０  メスコネクタ
１０ａ  内腔
１０ｂ  本体
１０ｃ  フランジ部
１０ｄ  環状段差部
１０ｅ  ルアーロック
【図１】
0003221614.tif 000003
【図２】
0003221614.tif 000004
【図３】
0003221614.tif 000005
【図４】
0003221614.tif 000006
【図５】
0003221614.tif 000007